【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
帯状の平導体を圧接して螺旋構造体を形成するコイルの製造方法であって、
前記螺旋構造体の１周分領域の長さ以下の複数の平導体片を用意し、
前記複数の平導体片は、端面同士を突き合わせて仮想状態の螺旋構造体（以下、「仮想螺旋構造体」という。）を形成可能であり、該仮想螺旋構造体は、前記端面同士の突き合わせ箇所を基準として螺旋進行方向の一の方向に向かう半周分と他の方向に向かう半周分とで構成される１周分領域の長さが、前記螺旋構造体の１周分領域の長さよりも圧接の押圧量だけ長くなるように設定されており、
前記複数の平導体片のそれぞれの直線部分において、前記端面同士を帯長手方向に沿って押圧し、前記帯長手方向の距離を短縮させながら圧接し継ぎ合わせて接続平導体を形成し、該接続平導体の１周分領域の長さを前記螺旋構造体の１周分領域の長さに一致させる、
ことを特徴とするコイルの製造方法。
【請求項２】
前記接続平導体は、前記螺旋構造体の１周分領域の範囲内において、複数箇所に前記平導体片の接続部が形成される、
ことを特徴とする請求項１に記載のコイルの製造方法。
【請求項３】
前記複数の平導体片には、二つの角部が形成されているＵ字状の平導体片が少なくとも含まれる、
ことを特徴とする請求項１または請求項２に記載のコイルの製造方法。
【請求項４】
前記複数の平導体片は、二つの角部が形成されているＵ字状の平導体片である、
ことを特徴とする請求項３に記載のコイルの製造方法。
【請求項５】
前記仮想螺旋構造体を螺旋軸方向から見た形状は、前記螺旋構造体の形状と異なるように設定されている、
ことを特徴とする請求項１から請求項４のいずかに記載のコイルの製造方法。
【請求項６】
前記接続平導体は、前記圧接する端面近傍を残して前記螺旋構造体の前記螺旋進行方向に弾性変形および／または塑性変形させつつ、前記平導体片との間で圧接する、
ことを特徴とする請求項１から請求項５のいずれかに記載のコイルの製造方法。
【請求項７】
前記接続平導体の前記螺旋進行方向の前記弾性変形および／または前記塑性変形の変形量は、前記圧接時に前記平導体片および前記接続平導体がそれぞれ保持される保持部と、前記平導体との干渉を回避する量に設定される、
ことを特徴とする請求項６に記載のコイルの製造方法。
【手続補正２】
【補正対象書類名】明細書
【補正対象項目名】発明の名称
【補正方法】変更
【補正の内容】
【発明の名称】コイルの製造方法
【手続補正３】
【補正対象書類名】明細書
【補正対象項目名】０００１
【補正方法】変更
【補正の内容】
【０００１】
本発明は、平板を加圧・変形させることにより接合するコイルの製造方法に関する。
【手続補正４】
【補正対象書類名】明細書
【補正対象項目名】００１１
【補正方法】変更
【補正の内容】
【００１１】
本発明は、平角導体同士であっても良好に、かつ接続部の安定性を向上させることができ、占積率の向上および放熱性の向上が可能で、切断および接合による特性劣化が生じない、平角導体を用いたコイルの製造方法を提供することを目的とする。
【手続補正５】
【補正対象書類名】明細書
【補正対象項目名】００１３
【補正方法】変更
【補正の内容】
【００１３】
（１）本発明は、帯状の平導体を圧接して螺旋構造体を形成するコイルの製造方法であって、前記螺旋構造体の１周分領域の長さ以下の複数の平導体片を用意し、前記複数の平導体片は、端面同士を突き合わせて仮想状態の螺旋構造体（以下、「仮想螺旋構造体」という。）を形成可能であり、該仮想螺旋構造体は、前記端面同士の突き合わせ箇所を基準として螺旋進行方向の一の方向に向かう半周分と他の方向に向かう半周分とで構成される１周分領域の長さが、前記螺旋構造体の１周分領域の長さよりも圧接の押圧量だけ長くなるように設定されており、前記複数の平導体片のそれぞれの直線部分において、前記端面同士を帯長手方向に沿って押圧し、前記帯長手方向の距離を短縮させながら圧接し継ぎ合わせて接続平導体を形成し、該接続平導体の１周分領域の長さを前記螺旋構造体の１周分領域の長さに一致させる、ことを特徴とするコイルの製造方法である。
【手続補正６】
【補正対象書類名】明細書
【補正対象項目名】００１４
【補正方法】変更
【補正の内容】
【００１４】
（２）本発明はまた、上記発明に関し、前記接続平導体は、前記螺旋構造体の１周分領域の範囲内において、複数箇所に前記平導体片の接続部が形成される、ことを特徴とする上記（１）に記載のコイルの製造方法である。
【手続補正７】
【補正対象書類名】明細書
【補正対象項目名】００１５
【補正方法】変更
【補正の内容】
【００１５】
（３）本発明はまた、上記発明に関し、前記複数の平導体片には、二つの角部が形成されているＵ字状の平導体片が少なくとも含まれる、ことを特徴とする上記（１）または（２）に記載のコイルの製造方法である。
【手続補正８】
【補正対象書類名】明細書
【補正対象項目名】００１６
【補正方法】変更
【補正の内容】
【００１６】
（４）本発明はまた、上記発明に関し、前記複数の平導体片は、二つの角部が形成されているＵ字状の平導体片である、ことを特徴とする上記（３）に記載のコイルの製造方法である。
【手続補正９】
【補正対象書類名】明細書
【補正対象項目名】００１７
【補正方法】変更
【補正の内容】
【００１７】
（５）本発明はまた、上記発明に関し、前記仮想螺旋構造体を螺旋軸方向から見た形状は、前記螺旋構造体の形状と異なるように設定されている、ことを特徴とする上記（１）から（４）のいずれかに記載のコイルの製造方法である。
【手続補正１０】
【補正対象書類名】明細書
【補正対象項目名】００１８
【補正方法】変更
【補正の内容】
【００１８】
（６）本発明はまた、上記発明に関し、前記接続平導体は、前記圧接する端面近傍を残して前記螺旋構造体の前記螺旋進行方向に弾性変形および／または塑性変形させつつ、前記平導体片との間で圧接する、ことを特徴とする上記（１）から（５）のいずれかに記載のコイルの製造方法である。
【手続補正１１】
【補正対象書類名】明細書
【補正対象項目名】００１９
【補正方法】変更
【補正の内容】
【００１９】
（７）本発明はまた、上記発明に関し、前記接続平導体の前記螺旋進行方向の前記弾性変形および／または前記塑性変形の変形量は、前記圧接時に前記平導体片および前記接続平導体がそれぞれ保持される保持部と、前記平導体との干渉を回避する量に設定される、ことを特徴とする上記（６）に記載のコイルの製造方法である。
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】削除
【補正の内容】
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】削除
【補正の内容】
【手続補正３５】
【補正対象書類名】明細書
【補正対象項目名】００４３
【補正方法】削除
【補正の内容】
【手続補正３６】
【補正対象書類名】明細書
【補正対象項目名】００４４
【補正方法】削除
【補正の内容】
【手続補正３７】
【補正対象書類名】明細書
【補正対象項目名】００４５
【補正方法】削除
【補正の内容】
【手続補正３８】
【補正対象書類名】明細書
【補正対象項目名】００４６
【補正方法】削除
【補正の内容】
【手続補正３９】
【補正対象書類名】明細書
【補正対象項目名】００４７
【補正方法】削除
【補正の内容】
【手続補正４０】
【補正対象書類名】明細書
【補正対象項目名】００４８
【補正方法】削除
【補正の内容】
【手続補正４１】
【補正対象書類名】明細書
【補正対象項目名】００４９
【補正方法】変更
【補正の内容】
【００４９】
本発明によれば、平角導体同士であっても良好に、かつ接続部の安定性を向上させることができ、占積率の向上および放熱性の向上が可能で、切断および接合による特性劣化が生じない、平角導体を用いたコイルの製造方法を提供することができる。